(57)【要約】【課題】空気の気流を制御することができ、気流感の少ない空気を効率的に送り出すことができる、空調システムを提供する。【解決手段】本発明の空調システムは、室内の天井に配置され、空気の吹出口を有する空調機と、天井に沿って配置され、空調機の空気の吹出口から吹き出された空気を案内して、室内に前記空気を送り出すダクトと、を備える。ダクトは、側部及び底部を有し、側部には、空気を室内に向けて送り出す開口が形成されている。【選択図】図１
2018194258.tif 000002
【特許請求の範囲】
【請求項１】
室内の天井に配置され、空気の吹出口を有する空調機と、
前記天井に沿って配置され、前記空調機の前記空気の吹出口から吹き出された空気を案内して、前記室内に前記空気を送り出すダクトと、を備え、
前記ダクトは、側部及び底部を有し、前記側部には、前記空気を前記室内に向けて送り出す開口が形成されている、空調システム。
【請求項２】
前記室内は、互いに対向して配置される第一の壁部及び第二の壁部を備え、前記ダクトは、前記第一の壁部近傍及び前記第二の壁部近傍まで延びるように形成されている、請求項１に記載の空調システム。
【請求項３】
前記ダクトの端部まで間隔をあけて、複数の開口が設けられている、請求項１又は２に記載の空調システム。
【請求項４】
前記複数の開口は、第一の開口と、該第一の開口より前記ダクトの前記端部側に形成された第二の開口と、を含み、前記第二の開口は、前記第一の開口より大きな開口面積を有する、請求項３に記載の空調システム。
【請求項５】
前記複数の開口は、前記第二の開口より前記ダクトの前記端部側に形成された第三の開口をさらに含み、前記第二の開口と前記第三の開口との間の間隔は、前記第一の開口と前記第二の開口との間の間隔より小さくなるように形成されている、請求項３に記載の空調システム。
【請求項６】
前記ダクトは、前記空気の吹出口の近傍に、前記空気の吹出口から吹き出された前記空気を吸い込む吸込口を備える、請求項１〜５の何れかに記載の空調システム。
【請求項７】
前記吸込口における流量係数をαとした場合、流量係数αは、α≧０．５を満たす、請求項６に記載の空調システム。
【請求項８】
前記吸込口における開口面積をＢとし、実効面積をαＡとした場合、開口面積Ｂに対する実効面積αＡの値αＡ／Ｂは、αＡ／Ｂ≧０．４を満たす、請求項７に記載の空調システム。
【請求項９】
前記ダクトの前記端部には、前記第一の壁部及び第二の壁部に向けて、前記空気を吹き出す吹出口が形成されている、請求項１〜８の何れかに記載の空調システム。
【請求項１０】
前記ダクトの前記側部に設けられた照明具を、さらに備える、請求項１〜９の何れかに記載の空調システム。
【発明の詳細な説明】
【技術分野】
【０００１】
本発明は、空調システムに関し、特に、照明一体型の空調システムに関する。
【背景技術】
【０００２】
従来より、オフィスビルや公共施設等の建物において、空調システムとして、天井カセット型の空調機が、使用されている。天井カセット型の空調機は、天井裏に配置される空調機本体と、天井面に配置される化粧パネルと、を備える。
【０００３】
一般的な天井カセット型の空調機は、化粧パネルに設けられた空気の吹出口から室内に、空調機本体で熱処理された空気を吹き出す構成である。そのため、空調機から離れた位置まで空気を到達させるためには、強い気流が必要である。
【０００４】
しかしながら、強い気流が発生することで、使用者が、気流による乾燥感や温風感又は冷風感を感じる、といった問題がある。
【０００５】
この問題を解決するためのものとして、例えば、天井放射空調システムや天井輻射空調システム等が、挙げられる。
【０００６】
しかしながら、この種の空調システムでは、放射パネルや輻射パネル等の設備が、別途必要になる。特に、空調機が壁等に設置される場合、プランニングへの制約がある。また、空調機を導入する際に、設備投資がかかるとともに、特殊な設備設計や施工技術が必要になる、という問題がある。
【０００７】
そこで、天井面に空気を案内するためのダクトを設け、該ダクトから室内に空気を送り出す空調機が、例えば、特開平６−０５８６１０号公報（特許文献１）に記載されている。
【０００８】
特許文献１に記載の空調機では、天井裏に配置された空調装置と、天井裏に空調装置と面一となるように配置されたダクトと、を備える。この種の空調機では、ダクトは、下面が天井仕上げ材を兼ねた通気性パネルからなり、上面および両側面が断熱材からなる偏平な中空筒形構造のダクト兼用天井パネルとして設けられている。
【０００９】
係る空調機は、ダクト兼用天井パネルを、通気性パネルが他の天井パネルと略面一になるようにスラブ下に配設し、複数のダクト兼用天井パネルの中空部を適宜に連続させて空調装置に結合している。そして、その空調装置からの中空部に送風した空調空気を、通気性パネルから室内に吹き出す構成としている。また、空調装置の送風機の出力を可変とし、暖房時には冷房時よりも送風出力を大きくするようになっている。
【先行技術文献】
【特許文献】
【００１０】
【特許文献１】特開平６−０５８６１０号公報
【特許文献２】特開２０１３‐８８０４２公報
【発明の概要】
【発明が解決しようとする課題】
【００１１】
しかしながら、特許文献１に記載の空調機では、上述のように、複数のダクト兼用天井パネルの中空部を空調装置に結合し、その空調装置から各ダクト兼用天井パネルの中空部に送風した空気を、通気性パネルから室内に直接吹き出す構成としている。また、空調装置の送風機の出力を可変とし、暖房時には冷房時よりも送風出力を大きくするようになっている。
【００１２】
このため、特に、大きな送風出力が必要な場合、気流の制御が十分ではなく、使用者が、気流による乾燥感や温風感又は冷風感を感じる、といった問題が残る。また、各ダクト兼用天井パネルの配置によっては、室内の場所によって、空気が届きにくい、といった問題が残る。
【００１３】
そこで、本発明は、斯かる実情に鑑み、空気の気流を制御することができ、気流感の少ない空気を効率的に送り出すことができる、空調システムを提供することを目的とする。
【課題を解決するための手段】
【００１４】
本発明に係る空調システムは、室内の天井に配置され、空気の吹出口を有する空調機と、前記天井に沿って配置され、前記空調機の前記空気の吹出口から吹き出された空気を案内して、前記室内に前記空気を送り出すダクトと、を備え、前記ダクトは、側部及び底部を有し、前記側部には、前記空気を前記室内に向けて送り出す開口が形成されている、ことを特徴とする。
【００１５】
例えば、室内の天井に配置された空調機等から吹き出された空気を、ダクトを介して、室内に案内する場合、空調機等から室内に直接吹き出された空気に比し、ダクトから案内された空気は、気流感の少ない、柔らかい空気となって、室内に送り出される。
【００１６】
上記構成の空調システムによれば、室内の天井に配置され、空気の吹出口を有する空調機と、天井に沿って配置され、空調機の前記空気の吹出口から吹き出された空気を案内して、室内に空気を送り出すダクトと、を備え、ダクトは、側部及び底部を有し、側部には、空気を室内に向けて送り出す開口が形成されているため、ダクトを介して案内された空気は、ダクトによって流れを拘束されることにより、気流到達範囲を拡大することができ、開口から送り出された空気は、拡散されることで、気流感の少ない空気を効率的に送り出すことができる。
【００１７】
これにより、空気の気流を制御することができ、気流感の少ない空気を効率的に送り出すことができる。さらに、気流到達範囲を拡大することができるため、空調機等の台数を通常より減らしても、平面的に温度差の少ない空調とすることができる。また、ダクト下部からの放熱により、室内の上下温度差を軽減するのに寄与する。
【００１８】
本発明の一態様として、前記室内は、互いに対向して配置される第一の壁部及び第二の壁部を備え、前記ダクトは、前記第一の壁部近傍及び前記第二の壁部近傍まで延びるように形成されている、のが好ましい。
【００１９】
上記構成の空調システムによれば、室内は、互いに対向して配置される第一の壁部及び第二の壁部を備え、ダクトは、第一の壁部近傍及び第二の壁部近傍まで延びるように形成されているため、ダクトから案内された気流感の少ない空気を、第一の壁部近傍及び第二の壁部近傍まで、室内全体に亘って、効率的に送り出すことができる。
【００２０】
本発明の他態様として、前記ダクトの端部まで間隔をあけて、複数の開口が設けられている、のが好ましい。
【００２１】
上記構成の空調システムによれば、ダクトの端部まで間隔をあけて、複数の開口が設けられているため、空調機の吹出口からダクトの端部まで案内された空気は、複数個の開口によってさらに拡散されることができ、気流感の少ない空気をさらに効率的に送り出すことができ、気流到達範囲を拡大することができる。さらに、気流到達範囲を拡大することができるため、空調機等の台数を通常より減らしても、平面的に温度差の少ない空調とすることができる。これにより、空気の気流を制御することができ、気流感の少ない空気をさらに効率的に送り出すことができる。
【００２２】
本発明の他態様として、前記複数の開口は、第一の開口と、該第一の開口より前記ダクトの前記端部側に形成された第二の開口と、を含み、前記第二の開口は、前記第一の開口より大きな開口面積を有する、のが好ましい。
【００２３】
空調機の吹出口からダクトを介して案内された空気は、ダクトの端部に向かうにつれて、到達距離が長くなる分、開口からの吹出し力が弱くなり、流量が減少される傾向にある。上記構成の空調システムによれば、複数の開口は、第一の開口と、該第一の開口よりダクトの端部側に形成された第二の開口と、を含み、第二の開口は、第一の開口より大きな開口面積を有するため、第二の開口から送り出された空気は、第一の開口から送り出された空気に比し、開口からの吹出し力が弱くなるのを軽減することができ、流量が減少されることを軽減することができる。
【００２４】
本発明の別の態様として、前記複数の開口は、前記第二の開口より前記ダクトの前記端部側に形成された第三の開口をさらに含み、前記第二の開口と前記第三の開口との間の間隔は、前記第一の開口と前記第二の開口との間の間隔より小さくなるように形成されている、のが好ましい。
【００２５】
上述のように、空調機の吹出口からダクトを介して案内された空気は、ダクトの端部に向かうにつれて、到達距離が長くなる分、開口からの吹出し力が弱くなり、流量が減少される傾向にある。上記構成の空調システムによれば、複数の開口は、第二の開口よりダクトの端部側に形成された第三の開口をさらに含み、第二の開口と第三の開口との間の間隔は、第一の開口と第二の開口との間の間隔より小さくなるように形成されているため、第三の開口から送り出された空気は、第二の開口から送り出された空気に比し、開口からの吹出し力が弱くなるのをさらに軽減することができ、流量が減少されることをさらに軽減することができる。
【００２６】
また、第二の開口から送り出された空気は、第一の開口から送り出された空気に比し、開口からの吹出し力が弱くなるのをさらに軽減することができ、流量が減少されることをさらに軽減することができる。すなわち、第一の開口、第二の開口及び第三の開口において、その吹出し力及び流量の低下を防ぐことができる。
【００２７】
本発明のさらに別の態様として、前記ダクトは、前記空気の吹出口の近傍に、前記空気の吹出口から吹き出された前記空気を吸い込む吸込口を備える、のが好ましい。
【００２８】
上記構成の空調システムによれば、ダクトは、空気の吹出口の近傍に、空気の吹出口から吹き出された空気を吸い込む吸込口を備えるため、空気の吹出口から吹き出された空気を、吸込口からダクト内に効率的に吸い込むことができる。
【００２９】
本発明のさらに別の態様として、前記吸込口における流量係数をαとした場合、流量係数αは、α≧０．５を満たす、のが好ましい。
【００３０】
上記構成の空調システムは、吸込口における流量係数をαとした場合、流量係数αは、α≧０．５を満たすため、空気の吹出口から吹き出された空気を、吸込口からダクト内により効率的に吸い込むことができる。
【００３１】
本発明のさらに別の態様として、前記吸込口における開口面積をＢとし、実効面積をαＡとした場合、開口面積Ｂに対する実効面積αＡの値αＡ／Ｂは、αＡ／Ｂ≧０．４を満たす、のが好ましい。
【００３２】
上記構成の空調システムによれば、吸込口における開口面積をＢとし、実効面積をαＡとした場合、開口面積Ｂに対する実効面積αＡの値αＡ／Ｂは、αＡ／Ｂ≧０．４を満たすため、空気の吹出口から吹き出された空気を、吸込口からダクト内にさらにより効率的に吸い込むことができる。
【００３３】
本発明のさらに別の態様として、前記ダクトの前記端部には、前記第一の壁部及び第二の壁部に向けて、前記空気を吹き出す吹出口が形成されている、のが好ましい。
【００３４】
壁付近の、所謂、ペリメータゾーンは、例えば、直射日光を受けるため、熱負荷が大きい。上記構成の空調システムによれば、ダクトの端部には、第一の壁部及び第二の壁部に向けて、空気を吹き出す吹出口が形成されているため、空調機の空気の吹出口からダクトに案内された空気の一部を、吹出口からペリメータゾーンに優先的に吹き出すことで、ペリメータゾーンにおける熱処理の効率化を図ることができる。
【００３５】
本発明のさらに別の態様として、前記ダクトは、前記室内の間仕切り棚の直上に配置されている、のが好ましい。
【００３６】
上記構成の空調システムによれば、ダクトは、室内の間仕切り棚の直上に配置されているため、ダクトの開口から吹き出された空気は、室内の居住者に直接届くのではなく、室内の間仕切り棚を介して、ダクトから離れた位置の居住者に届くようになる。
【００３７】
本発明のさらに別の態様として、前記ダクトの前記側部に設けられた照明具を、さらに備える、のが好ましい。
【００３８】
上記構成の空調システムによれば、ダクトの前記側部に設けられた照明具を、さらに備えるため、空調システムにおいて、ダクトと照明具とを一体化することができる。
【００３９】
さらに、照明具から室内に直接放射された光と異なり、照度を落として省エネを図ることができるが、明るさ感を低下させることなく、間接照明としての役割を果たす。また、間接照明によって、天井を高く見せられるといった、視覚的効果も有することができる。
【発明の効果】
【００４０】
以上のように、本発明の空調システムによれば、空気の気流を制御することができ、気流感の少ない空気を効率的に送り出すことができる、といった優れた効果を奏し得る。
【図面の簡単な説明】
【００４１】
【図１】本発明の一実施形態に係るダクト空調・照明一体型天井システムの概要構成を示す断面図である。
【図２】本発明の一実施形態に係るダクト空調・照明一体型天井システムの概要構成を示す平面図である。
【図３】本発明の一実施形態に係るダクト空調・照明一体型天井システムを下から見た図である。
【図４】本発明の一実施形態に係るダクト空調・照明一体型天井システムを介してペリメータゾーンに空気が吹出されている様子を示す図である。
【図５】本発明の一実施形態に係るダクト空調・照明一体型天井システムの概要構成がオフィスに設けられている様子を示す図である。
【図６】本発明の一実施形態に係るダクト空調・照明一体型天井システムの側部に設けられた照明具の断面図である。
【図７】本発明の一実施形態に係るダクト空調・照明一体型天井システムの側部に設けられた照明具の変形例の断面図である。
【図８】本発明の一実施形態に係るダクト空調・照明一体型天井システムの側部に設けられた照明具の変形例の断面図である。
【図９】本発明の一実施形態に係るダクト空調・照明一体型天井システムの側部に設けられた照明具の変形例の断面図である。
【図１０】本発明の一実施形態に係るダクト空調・照明一体型天井システムの側部に設けられた照明具の変形例の断面図である。
【発明を実施するための形態】
【００４２】
以下、本発明の一実施形態に係る空調システムの概略について、添付図面を参照して説明する。
【００４３】
本実施形態に係る空調システムは、一般的な空調システムを使用可能であり、例えば、オフィスビルや、公共施設等の建物において、天井等に設置される空調機から吹き出される空気を、ダクトを介して室内に供給するためのものである。
【００４４】
図１に示すように、本実施形態に係る空調システム１００は、空調部１０と、該空調部１０に取り付けられた照明具３０と、を備える。なお、照明具３０の構成については、後述する。
【００４５】
（空調部１０の構成）
本実施形態に係る空調部１０は、図１〜３に示すように、室内Ｒの天井ＣＬに配置され、空気の吹出口１１ａを有する空調機１１と、天井ＣＬに沿って配置され、空調機１１の空気の吹出口１１ａから吹き出された空気Ａを案内して、室内Ｒに空気Ａを送り出すダクト１２と、を備える。なお、図１〜図３中の矢印は、空気Ａの流れを表している。
【００４６】
室内Ｒは、互いに対向して配置される第一の壁部Ｗ１及び第二の壁部Ｗ２を備える。第一の壁部Ｗ１及び第二の壁部Ｗ２には、例えば、窓Ｗが設けられている。室内Ｒには、例えば、一般的なオフィス等と同様に、複数の机Ｄや、複数組の椅子Ｃ、書棚ＢＳ、及び間仕切り棚ＰＳ等が配置されている。
【００４７】
本実施形態において、空調機１１は、一般的な空調機を使用可能であり、例えば、天井カセット型の空気調和機、及び天井カセット型の空気清浄機等に使用されるものである。
【００４８】
本実施形態において、ダクト１２は、側部１３及び底部１４を有する。ダクト１２の側部１３には、空気Ａを室内Ｒに向けて送り出す開口１５が形成されている。
【００４９】
より具体的には、ダクト１２の側部１３のそれぞれには、空気の吹出口１１ａから吹き出された空気Ａを、天井ＣＬに沿って、水平方向に送り出す開口１５が形成されている。
【００５０】
本実施形態において、ダクト１２は、第一の壁部Ｗ１近傍及び第二の壁部Ｗ２近傍まで延びるように形成されている。
【００５１】
本実施形態において、ダクト１２の端部１２ａまで間隔をあけて、複数の開口１５が設けられている。複数の開口１５は、第一の開口１５ａと、該第一の開口１５ａよりダクト１２の端部１２ａ側に形成された第二の開口１５ｂと、を含む。第二の開口１５ｂは、第一の開口１５ａより大きな開口面積Ｂを有する。
【００５２】
すなわち、複数の開口１５の開口面積Ｂは、ダクト１２の端部１２ａに向かうほど大きくなるように形成されている。
【００５３】
本実施形態において、複数の開口１５は、第二の開口１５ｂよりダクト１２の端部１２ａ側に形成された第三の開口１５ｃをさらに含む。なお、開口の個数は、これに限定されるものではなく、必要に応じて、適宜変更可能である。
【００５４】
第二の開口１５ｂと第三の開口１５ｃとの間の間隔は、第一の開口１５ａと第二の開口１５ｂとの間の間隔より小さくなるように形成されている。すなわち、複数の開口１５の開口間の間隔は、ダクト１２の端部１２ａに向かうほど小さくなるように形成されている。
【００５５】
本実施形態において、ダクト１２は、空気の吹出口１１ａの近傍に、空気の吹出口１１ａから吹き出された空気Ａを吸い込む吸込口１２ｂを備える。吸込口１２ｂは、例えば、メッシュ形状で覆われている。なお、本実施形態において、吸込口１２ｂは、メッシュ形状で覆われているが、これに限定されるものではなく、例えば、以下に示すような、所望の流量係数及び開口面積を有するようなものであればよい。
【００５６】
本実施形態において、吸込口１２ｂにおける流量係数をαとした場合、流量係数αは、α≧０．５を満たす。
【００５７】
本実施形態において、吸込口１２ｂにおける開口面積をＢとし、実効面積をαＡとした場合、開口面積Ｂに対する実効面積αＡの値αＡ／Ｂは、αＡ／Ｂ≧０．４を満たす。
【００５８】
本実施形態において、天井ＣＬの裏面に結露を発生させることを防止すべく、ダクト１２内部の上面には、プラスチック樹脂が貼付されている（図示せず）。より具体的には、ダクト１２内部の上面には、ポリスチレン樹脂が、貼付されている。ポリスチレン樹脂は、１５ｍｍ以上の厚みを有することが好ましい。
【００５９】
図４に示すように、第一の壁部Ｗ１（第二の壁部Ｗ２）付近の、所謂、ペリメータゾーンは、例えば、直射日光を受けるため、熱負荷が大きい。そのため、本実施形態において、ダクト１２の端部１２ａには、第一の壁部Ｗ１及び第二の壁部Ｗ２に向けて、空気Ａを吹き出す吹出口１６が形成されている。ダクト１２からの空気Ａを、吹出口１６からペリメータゾーンに優先的に吹き出すことで、ペリメータゾーンにおける熱処理の効率化を図っている。
【００６０】
本実施形態において、吹出口１６には、風向板１６ａが設けられている。ダクト１２の端部１２ａの吹出口１６から吹き出された空気Ａは、風向板１６ａを介して、下方に向けて流れた後、第一の壁部Ｗ１（第二の壁部Ｗ２）に沿って流れるため、窓Ｗ付近に直接吹き出されることがない。このような構成によって、第一の壁部Ｗ１（第二の壁部Ｗ２）付近に均一な空気を届けることができる。
【００６１】
本実施形態において、ダクト１２の底部１４は、フラット状に形成されている。本実施形態において、ダクト１２の底部１４は、フラット状に形成されているが、これに限定されるものではなく、例えば、ダクト１２の底部１４は、円弧状に形成されてもよい。本実施形態において、ダクト１２の底部１４からの放熱によって、空調システム１００の上下温度差を軽減するのに寄与する。
【００６２】
本実施形態において、ダクト１２は、室内Ｒの間仕切り棚ＰＳの直上に配置されている。これにより、ダクト１２から吹き出された空気Ａは、室内Ｒの居住者に直接届くのではなく、室内Ｒの間仕切り棚ＰＳを介して、ダクト１２から離れた位置の居住者に届くようになる。
【００６３】
ところで、天井に空調装置を設置するにあたり、照明具の配置が問題になることがある。そのため、空調装置の化粧パネルに、照明具を設けた天井カセット型空調機が、例えば、特開２０１３‐８８０４２公報（特許文献２）に記載されている。
【００６４】
特許文献２に記載の天井カセット型空調機では、天井裏に設置される空調機本体と、天井面に露出する矩形の化粧パネルと、を含む。係る天井カセット型空調機は、化粧パネルの少なくとも一つの隅部に取り付けられるコーナーパネルと、コーナーパネルに形成された開口部に室内に向けて設置される照明器具と、電源ユニットと、を含む。
【００６５】
特許文献２に記載の天井カセット型空調機では、上述のように、天井面に露出する化粧パネルのコーナーパネルに形成された開口部に、照明器具が室内に向けて露出して設置されているため、意匠性に問題があるとともに、照明機器からの光は、使用者に直接供給されるようになるため、使用者によっては、眩しさを感じる、という問題があった。
【００６６】
そこで、発明者等は、空気の気流を制御することができ、気流感の少ない空気を効率的に送り出すことができ、かつ意匠性に優れ、心地よい光を届けることのできる、空調・照明一体型天井システムを検討した。
【００６７】
（照明具３０の構成）
本実施形態において、図６〜図１０に示すように、室内Ｒの天井ＣＬに配置されるダクト１２の側部１３に設けられ、天井ＣＬに向けて光を放射する照明具３０を、さらに備える。なお、図６〜１０において、図中の点線で示す矢印は、照明具３０から放射された光又は天井ＣＬで反射された光を表している。
【００６８】
図６に示すように、ダクト１２は、側部１３から側方に突出する顎部１７を備える。照明具３０は、顎部１７上に設けられている。顎部１７は、その先端部１７ａに、上方に延びる立上り部１７ｂを備える。
【００６９】
（照明具３０の変形例１）
或いは、図７に示すように、照明具３０は、シェード３１で覆われていてもよい。照明具３０は、ダクト１２の側部１３に、斜め下方向に取り付けられている。シェード３１によって、照明具３０から放射された光が、分散されやすくなる。
【００７０】
（照明具の変形例２）
或いは、図８に示すように、照明具３０は、ダクト１２の側部１３に設けられた導光板照明具３２であってもよい。
【００７１】
（照明具の変形例３）
或いは、図９に示すように、ダクト１２の側部１３は、天井ＣＬから下方に延びる第一の側部１３ａと、ダクト１２の底部１４から上方に延びる第二の側部１３ｂと、を備え、第一の側部１３ａと、第二の側部１３ｂとの間には、隙間Ｓが形成されていてもよい。
【００７２】
なお、図示しないが、第一の側部１３ａ及び第二の側部１３ｂは、天井ＣＬに対して傾斜して設けられていてもよい。例えば、第一の側部１３ａ及び第二の側部１３ｂは、ダクト１２の側部１３から外方に向けて傾斜して設けられてもよい。
【００７３】
（照明具の変形例４）
或いは、図１０に示すように、ダクト１２の側部１３の一部は、一対の風向板１３ｃ，１３ｄとして形成され、ダクト１２に案内された空気Ａは、天井ＣＬと風向板１３ｃとの間、一対の風向板１３ｃ，１３ｄの間から、室内Ｒに送り出されるようにしてもよい。
【００７４】
本実施形態において、図示しないが、照明具３０は、直管型ＬＥＤを含んでもよい。或いは、照明具３０は、一般的な蛍光灯等の蛍光管であってもよい。
【００７５】
図６〜図８に示すように、本実施形態において、天井ＣＬ及びダクト１２の側部１３の少なくとも何れか一方には、照明具３０から放射された光を反射する反射フィルム１８が被覆されていてもよい。本施形態において、天井ＣＬ及びダクト１２の側部１３には、照明具３０から放射された光を反射する反射フィルム１８が被覆されている。
【００７６】
天井ＣＬ及びダクト１２の側部１３の少なくとも何れか一方には、拡散反射率９０％以上の高反射フィルムが被覆されている。本実施形態において、天井ＣＬ及びダクト１２の側部１３には、拡散反射率９０％以上の高反射フィルム１８が被覆されている。
【００７７】
以上のように、本実施形態に係る空調システム１００によれば、ダクト１２を介して案内された空気Ａは、ダクト１２によって流れを拘束されることにより、気流到達範囲を拡大することができ、開口１５から送り出された空気Ａは、拡散されることで、気流感の少ない空気を効率的に送り出すことができる。
【００７８】
これにより、空気Ａの気流を制御することができ、気流感の少ない空気Ａを効率的に送り出すことができる。さらに、気流到達範囲を拡大することができるため、空調機１１等の台数を通常より減らしても、平面的に温度差の少ない空調とすることができる。また、ダクト１２下部からの放熱により、室内Ｒの上下温度差を軽減するのに寄与する。
【００７９】
また、ダクト１２から案内された気流感の少ない空気Ａを、第一の壁部Ｗ１近傍及び第二の壁部Ｗ２近傍まで、室内Ｒ全体に亘って、効率的に送り出すことができる。
【００８０】
また、空調機１１の吹出口１１ａからダクト１２の端部１２ａまで案内された空気Ａは、複数個の開口１５によってさらに拡散されることができ、気流感の少ない空気をさらに効率的に送り出すことができ、気流到達範囲を拡大することができる。さらに、気流到達範囲を拡大することができるため、空調機１１等の台数を通常より減らしても、平面的に温度差の少ない空調とすることができる。
【００８１】
また、第二の開口１５ｂから送り出された空気Ａは、第一の開口１５ａから送り出された空気Ａに比し、開口からの吹出し力が弱くなるのを軽減することができ、流量が減少されることを軽減することができる。
【００８２】
また、第一の開口１５ａ、第二の開口１５ｂ及び第三の開口１５ｃにおいて、その吹出し力及び流量の低下を防ぐことができる。
【００８３】
また、空気の吹出口１１ａから吹き出された空気Ａを、吸込口１２ｂからダクト１２内に効率的に吸い込むことができる。
【００８４】
また、流量係数αは、α≧０．５を満たすため、空気の吹出口１１ａから吹き出された空気Ａを、吸込口１２ｂからダクト１２内により効率的に吸い込むことができる。
【００８５】
また、開口面積Ｂに対する実効面積αＡの値αＡ／Ｂは、αＡ／Ｂ≧０．４を満たすため、空気の吹出口１１ａから吹き出された空気Ａを、吸込口１２ｂからダクト１２内にさらにより効率的に吸い込むことができる。
【００８６】
また、空調機１１の空気の吹出口１１ａからダクト１２に案内された空気Ａの一部を、吹出口１６からペリメータゾーンに優先的に吹き出すことで、ペリメータゾーンにおける熱処理の効率化を図ることができる。
【００８７】
また、ダクト１２の開口１５から吹き出された空気Ａは、室内Ｒの居住者に直接届くのではなく、室内Ｒの間仕切り棚ＰＳを介して、ダクト１２から離れた位置の居住者に届くようになる。
【００８８】
また、空調システム１００において、ダクト１２と照明具３０とを一体化することができる。
【００８９】
さらに、照明具３０から室内Ｒに直接放射された光と異なり、照度を落として省エネを図ることができるが、明るさ感を低下させることなく、間接照明としての役割を果たす。また、間接照明によって、天井ＣＬを高く見せられるといった、視覚的効果も有することができる。
【００９０】
尚、本発明の空調システムには、上記実施形態に限定されるものではなく、本発明の要旨を逸脱しない範囲で適宜変更し得ることは勿論のことである。
【００９１】
上記実施形態において、ダクト１２内部の上面には、断熱材として、ポリスチレンフォームが貼付されているが、これに限定されるものではなく、任意の断熱材が貼付されてもよい。要は、天井ＣＬの下面における結露を防止できるようなものであればよい。
【００９２】
上記実施形態において、ダクト１２の端部１２ａには、第一の壁部Ｗ１及び第二の壁部Ｗ２に向けて、空気Ａを吹き出す吹出口１６が形成され、吹出口１６には風向板１６ａが設けられているが、これに限定されるものではなく、例えば、ダクト１２の端部１２ａには、窓Ｗとダクト１２の端部１２ａとの間に、ダクト１２の端部１２ａに接続された当て板（図示せず）を設けてもよい。これにより、吹出口１６から吹き出された空気Ａは、当て板によって、第一の壁部Ｗ１及び第二の壁部Ｗ２に向かう方向から、左右方向、すなわち、第一の壁部Ｗ１及び第二の壁部Ｗ２に沿う方向に流れることができる。
【００９３】
本実施形態において、拡散反射率９０％以上の高反射フィルム１８が被覆されているが、これに限定されるものではなく、照明具３０から天井ＣＬに向けて放射された光が、効率よく反射され、居住者が、眩しさを感じず、心地よい光を届けることができるものであればよい。
【００９４】
本実施形態において、複数の開口１５のそれぞれに、風向板が設けられていてもよい。これにより、ダクト１２に案内された空気Ａは、風向板によって複数の開口１５のそれぞれから、任意所望の角度で送り出されることができる。この場合、複数の風向板は、ダクト１２の端部１２ａに向かうほど傾斜して設けられていてもよい。
【産業上の利用可能性】
【００９５】
本発明の空調システムは、例えば、オフィスビルや、公共施設等の建物において、天井等に設置される空調システムに有効に適用される。
【符号の説明】
【００９６】
１０  空調部、１１  空調機、１１ａ  空気の吹出口、１２  ダクト、１２ａ  端部、１２ｂ  吸込口、１３  側部、１３ａ  第一の側部、１３ｂ  第二の側部、１３ｃ，１３ｄ  一対の風向板、１４  底部、１５  開口、  第一の開口、１５ｂ  第二の開口、１５ｃ  第三の開口、１６  吹出口、１６ａ  風向板、１７  顎部、１７ａ  先端部、１７ｂ  立上り部、１８  反射フィルム（高反射フィルム）、３０  照明具、３１  シェード、３２  導光板照明具、１００  ダクト空調・照明一体型天井システム、Ａ  空気、Ｂ  開口面積、Ｃ  複数組の椅子、ＣＬ  天井、Ｄ  複数の机、Ｓ  隙間、Ｒ  室内、Ｗ  窓、Ｗ１  第一の壁部、Ｗ２  第二の壁部、ＢＳ  書棚、ＰＳ  間仕切り棚、α  流量係数、αＢ  実効面積。
【図１】
2018194258.tif 000003
【図２】
2018194258.tif 000004
【図３】
2018194258.tif 000005
【図４】
2018194258.tif 000006
【図５】
2018194258.tif 000007
【図６】
2018194258.tif 000008
【図７】
2018194258.tif 000009
【図８】
2018194258.tif 000010
【図９】
2018194258.tif 000011
【図１０】
2018194258.tif 000012